(57)【要約】【課題】押し操作体の操作力を効率よく弁操作体に伝えることが可能なものでありながら、操作軸と安全弁との配置構成に制約を受けるおそれを少なくすることが可能となる回転操作式のガス器具栓を提供する。【解決手段】閉止位置及び点火用操作位置を含む回転操作範囲内で回転操作自在なガス量調整用の操作軸９と、軸状の弁操作体１０を押し操作して摺動させる押し操作部１２及び被回転操作部１３を備えた中継回転体１４とが設けられ、操作軸９の点火用操作位置への回転に伴って被回転操作部１３を押し操作する押し操作体１５が、操作軸９と一体回転自在に、且つ、被回転操作部１３を押し操作する押し作用状態と被回転操作部１３を押し操作しない押し操作解除状態とに切り換え操作自在に設けられ、中継回転体１４が、操作軸９の回転軸芯と直交する回転軸芯周りで回転するように設けられ、弁操作体１０が、中継回転体１４の回転軸芯と直交する仮想平面上に沿って摺動するように設けられている。【選択図】図１０
2008089145.tif 000002
【特許請求の範囲】
【請求項１】
ガス供給を閉止する閉止位置及び点火用操作位置を含むガス量調整用の回転操作範囲内で回転操作自在なガス量調整用の操作軸と、軸状の弁操作体の軸芯方向の摺動によって開弁操作される安全弁と、回転に伴って前記弁操作体を押し操作して摺動させる押し操作部及び被回転操作部を備えた中継回転体とが設けられ、
前記操作軸の前記閉止位置から前記点火用操作位置への回転に伴って前記中継回転体の被回転操作部を押し操作する押し操作体が、前記操作軸と一体回転自在に、且つ、前記操作軸の回転に伴って前記被回転操作部を押し操作する押し作用状態と前記操作軸の回転に拘わらず前記被回転操作部を押し操作しない押し操作解除状態とに切り換え操作自在に設けられた回転操作式のガス器具栓であって、
前記中継回転体が、前記操作軸の回転軸芯と直交する回転軸芯周りで回転するように設けられ、
前記弁操作体が、前記中継回転体の回転軸芯と直交する仮想平面上に沿って摺動するように設けられている回転操作式のガス器具栓。
【請求項２】
前記操作軸が、前記回転軸芯方向の一端側を操作部として構成され、
前記弁操作体が、前記中継回転体の回転軸芯方向視において、前記操作軸の前記回転軸芯方向における前記操作部とは反対側となる他端側に相当する箇所から延びるように位置され、
前記操作軸と前記弁操作体とが、前記中継回転体の回転軸芯方向視において、略への字状に屈曲する位置関係となる状態で配設されている請求項１記載の回転操作式のガス器具栓。
【請求項３】
前記押し操作体が、前記操作軸の回転軸芯方向での位置を変更することにより前記押し作用状態と前記押し操作解除状態とに切り換え自在に且つ前記押し操作解除状態に復帰付勢される状態で設けられ、
前記操作軸が前記閉止位置に操作されるに伴って前記押し操作体を前記押し作用状態に切り換えるカム式の切換機構と、
前記操作軸が前記閉止位置から前記点火用操作位置側に回転操作されているときは復帰付勢力に抗して前記押し作用状態に維持するように前記押し操作体に係止作用し、且つ、前記閉止位置以外の回転操作位置において前記操作軸に対する回転操作が停止すると前記押し操作体が復帰付勢力にて前記押し操作解除状態に切り換わることを許容するように係止を解除する係止式の保持機構とが備えられている請求項１又は２記載の回転操作式のガス器具栓。
【請求項４】
前記操作軸が、前記回転軸芯方向に沿って回転規制用位置と回転操作用位置とにわたって移動自在に且つ前記回転規制用位置に復帰付勢される状態で設けられ、
前記操作軸が前記回転規制用位置に位置し且つ前記閉止位置に位置しているときは前記操作軸の回転軸芯周りでの回転操作を牽制し、前記操作軸が前記回転操作用位置に位置しているときは前記回転操作範囲の全範囲にわたり前記操作軸の回転軸芯周りでの回転操作を許容する回転操作牽制機構が設けられている請求項１〜３のいずれか１項に記載の回転操作式のガス器具栓。
【請求項５】
前記点火用操作位置が前記回転操作範囲における中間位置に設定されている請求項１〜４のいずれか１項に記載の回転操作式のガス器具栓。
【請求項６】
前記操作軸にて回転操作されるガス量調整用の弁体を内部に収納し且つ前記操作軸並びに前記中継回転体を回転自在に支持する状態で備えた器具栓本体と、前記安全弁及び前記弁操作体を内部に収納する安全弁収納体とが夫々別体にて形成され、前記器具栓本体と前記安全弁収納体とを一体的に組み付けて構成されている請求項１〜５のいずれか１項に記載の回転操作式のガス器具栓。
【発明の詳細な説明】
【技術分野】
【０００１】
本発明は、ガス供給を閉止する閉止位置及び点火用操作位置を含むガス量調整用の回転操作範囲内で回転操作自在なガス量調整用の操作軸と、軸状の弁操作体の軸芯方向の摺動によって開弁操作される安全弁と、回転に伴って前記弁操作体を押し操作して摺動させる押し操作部及び被回転操作部を備えた中継回転体とが設けられ、前記操作軸の前記閉止位置から前記点火用操作位置への回転に伴って前記中継回転体の被回転操作部を押し操作する押し操作体が、前記操作軸と一体回転自在に、且つ、前記操作軸の回転に伴って前記被回転操作部を押し操作する押し作用状態と前記操作軸の回転に拘わらず前記被回転操作部を押し操作しない押し操作解除状態とに切り換え操作自在に設けられた回転操作式のガス器具栓に関する。
【背景技術】
【０００２】
この種の回転操作式のガス器具栓は、ガスバーナへ供給されるガス供給量を調整するためのガス量調整用の操作軸が点火用操作位置まで回転操作されると、その操作軸と一体回転自在に設けられる押し操作体にて押し操作される中継回転体を介して、弁操作体を押し操作して閉付勢されている安全弁を開弁させてガスバーナに点火用のガス量を供給する状態にして、ガスバーナへの点火操作が可能な状態に切り替えることができるようにしたものである。前記安全弁は、ガスバーナに点火が行われて燃焼状態に切り換わると、中継回転体による押し操作が解除されても、ガスバーナの火炎にて加熱される熱電対の起電力によって開弁状態に保持され、ガスバーナが消火すると自動的に閉弁状態に切り換わる構成となっている。そこで、前記押し操作体は、点火操作が行われているときは弁操作体を押し操作する必要があるが、点火操作が終了してガスバーナが燃焼状態になると、弁操作体が閉弁状態に切り換わることができるように操作軸の回動にかかわらず押し操作しない状態に切り換えておく必要があるから、前記押し作用状態と前記押し操作解除状態とに切り換えるようにしたものである。
【０００３】
そして、このような回転操作式のガス器具栓において、従来では、前記中継回転体が前記操作軸の回転軸芯と平行な軸芯周りで回転するように設けられ、且つ、前記弁操作体の軸芯が前記中継回転体の軸芯に対して直交するように設けられる構成のものがあった（特許文献１参照）。
【０００４】
【特許文献１】特許第３６７８９５４号公報
【発明の開示】
【発明が解決しようとする課題】
【０００５】
上記従来構成においては、前記中継回転体が前記操作軸の回転軸芯と平行な軸芯周りで回転するように設けられ、且つ、前記弁操作体の軸芯が前記中継回転体の軸芯に対して直交するように設けられるものであるから、操作軸の回転軸芯と弁操作体の軸芯とを直交する状態で配設することになる。その結果、このようなガス器具栓をガスコンロに適用するにあたって設置の仕方に制約を受ける不利がある。
【０００６】
説明を加えると、天板の上部側から操作軸を回転操作するような構成であり且つ前記操作軸をその回転軸芯が鉛直方向に沿う状態で設置する形態のガスコンロに対して、上記したような従来構成のガス器具栓を適用した場合であれば、弁操作体の軸芯方向が水平方向になるように配置することができるので、設置の仕方に制約を受けるおそれは少ないが、例えば、操作軸の回転操作を行い易くするために、天板の上部側から操作軸を回転操作するような構成であり且つ操作軸の回転軸芯を鉛直方向に対して機器前方側に傾斜させた斜め姿勢に構成したガスコンロに、上記従来構成のガス器具栓を適用した場合であれば、斜め方向に設置した操作軸の回転軸芯に対して弁操作体の軸芯が直交するように弁操作体並びに安全弁を配設する必要があり、弁操作体の軸芯が水平方向から斜め方向に傾斜した姿勢になり、設置の仕方に制約を受ける不利がある。つまり、弁操作体の軸芯が斜め方向に傾斜した姿勢になり、例えば天板等の他物との干渉を避けるためにガスコンロの上下方向の寸法が必要以上に大きくしなければならない等の不利がある。
【０００７】
又、このような構成以外にも、ガスコンロにおいて機器前面側に設けられた操作パネル部に前面側から操作軸を回転操作する構成であれば、操作軸の回転軸芯を水平方向に向く状態で備えるような形態のガスコンロがあるが、このようなガスコンロに対して、上記したような従来構成のガス器具栓を適用した場合であれば、水平方向に設置した操作軸の回転軸芯に対して弁操作体の軸芯が直交するように弁操作体並びに安全弁を配設しなければならず、弁操作体の軸芯が鉛直方向あるいは機器横幅方向に限られることになり、ガス器具栓をガスコンロに適用するにあたって設置の仕方に制約を受ける不利がある。
【０００８】
そこで、このような不利を解消するための構成として、中継回転体の軸芯に対して弁操作体の軸芯とを直交する状態ではなく、それらが９０度とは異なる角度をあけて斜め方向に交差するようにして押し操作するように構成することも考えられるが、このように構成すると、中継操作体により押し操作力が弁操作体の摺動方向に対して斜め方向になり、拗れが発生するなど良好な操作が行えないおそれがある。
【０００９】
本発明の目的は、押し操作体により弁操作体の押し操作を良好に行えるものでありながら、ガスコンロに適用するにあたって設置の仕方に制約を受けるおそれを少なくすることが可能となる回転操作式のガス器具栓を提供する点にある。
【課題を解決するための手段】
【００１０】
本発明に係る回転操作式のガス器具栓は、ガス供給を閉止する閉止位置及び点火用操作位置を含むガス量調整用の回転操作範囲内で回転操作自在なガス量調整用の操作軸と、軸状の弁操作体の軸芯方向の摺動によって開弁操作される安全弁と、回転に伴って前記弁操作体を押し操作して摺動させる押し操作部及び被回転操作部を備えた中継回転体とが設けられ、前記操作軸の前記閉止位置から前記点火用操作位置への回転に伴って前記中継回転体の被回転操作部を押し操作する押し操作体が、前記操作軸と一体回転自在に、且つ、前記操作軸の回転に伴って前記被回転操作部を押し操作する押し作用状態と前記操作軸の回転に拘わらず前記被回転操作部を押し操作しない押し操作解除状態とに切り換え操作自在に設けられた回転操作式のガス器具栓であって、その第１特徴構成は、前記中継回転体が、前記操作軸の回転軸芯と直交する回転軸芯周りで回転するように設けられ、前記弁操作体が、前記中継回転体の回転軸芯と直交する仮想平面上に沿って摺動するように設けられている点にある。
【００１１】
第１特徴構成によれば、前記押し操作体が前記押し作用状態に切り換えられている状態で、前記操作軸を前記閉止位置から前記点火用操作位置へ回転させると、その操作軸と一体回転する押し操作体によって中継回転体の被回転操作部が押し操作されて、中継回転体は操作軸の回転軸芯と直交する回転軸芯周りで回転し、中継回転体の押し操作部が前記弁操作体を押し操作して摺動させて安全弁を開弁状態にすることができる。又、前記押し操作体が前記押し操作解除状態に切り換えられた状態で前記操作軸を回転操作することで被回転操作部を押し操作することがない状態で、ガス量を変更調整することができる。
【００１２】
そして、上記したように、中継回転体が操作軸の回転軸芯と直交する回転軸芯周りで回転するように設けられるから、操作軸の回転軸芯すなわち押し操作体の回転軸芯と、中継回転体の被回転操作部の回転軸芯とが直交することになり、押し操作体による押し操作力を効率よく中継回転体の被回転操作部に作用させることができ、しかも、中継回転体の押し操作部によって押し操作される弁操作体が中継回転体の回転軸芯と直交する仮想平面上に沿って摺動するように設けられるので、押し操作部による押し操作力を効率よく弁操作体に作用させることが可能である。
【００１３】
又、前記中継回転体の回転軸芯方向視における前記操作軸と前記弁操作体との相対的な姿勢を変更させるようにしても、押し操作部による押し操作力を効率よく弁操作体に作用させる状態を維持することが可能である。つまり、押し操作部による押し操作は中継回転体の回転軸芯の周りでの回転動作であるから、弁操作体が前記仮想平面上において押し操作部のどの回転位相であっても、押し操作部による弁操作体に対する押し操作状態は同じ状態に設定することが可能である。
【００１４】
その結果、中継回転体の回転軸芯方向視における操作軸と弁操作体との相対的な姿勢を変更させることによって、ガスコンロに適用するにあたって設置の仕方に制約を受けるおそれを少ないものとなる。
例えば、天板の上部側から操作軸を回転操作するような構成であり且つ前記操作軸をその回転軸芯が鉛直方向に沿う状態で設置する形態のガスコンロに限らず、天板の上部側から操作軸を回転操作するような構成であり且つ操作軸の回転軸芯を鉛直方向に対して機器前方側に傾斜させた斜め姿勢に構成したガスコンロ、及び、機器前面側に設けられた操作パネル部に前面側から操作軸を回転操作する構成のガスコンロのいずれの形態のガスコンロであっても、操作軸を所定の位置に設置しながら弁操作体を水平方向に向けて配備することが可能になる等、設置の仕方に制約を受けるおそれを少ない状態で種々の形態のガスコンロに適用することが可能となる。
【００１５】
従って、第１特徴構成によれば、押し操作体により弁操作体の押し操作を良好に行えるものでありながら、ガスコンロに適用するにあたり設置の仕方に制約を受けるおそれを少なくすることが可能となる回転操作式のガス器具栓を提供できるに至った。
【００１６】
本発明の第２特徴構成は、第１特徴構成に加えて、前記操作軸が、前記回転軸芯方向の一端側を操作部として構成され、前記弁操作体が、前記中継回転体の回転軸芯方向視において、前記操作軸の前記回転軸芯方向における前記操作部とは反対側となる他端側に相当する箇所から延びるように位置され、前記操作軸と前記弁操作体とが、前記中継回転体の回転軸芯方向視において、略への字状に屈曲する位置関係となる状態で配設されている点にある。
【００１７】
第２特徴構成によれば、前記中継回転体の回転軸芯方向視において、前記操作軸と前記弁操作体とが略への字状に屈曲する位置関係となる状態で配設されることになり、操作軸の前記回転軸芯方向の一端側、すなわち、前記中継回転体の回転軸芯方向視において前記弁操作体から離れている側が操作部として構成されることになる。
【００１８】
つまり、このような構成のガス器具栓をガスコンロに適用する場合に、中継回転体の回転軸芯方向視において操作軸と弁操作体とが略への字状に屈曲する位置関係となるから、例えば、天板の上部側から操作軸を操作するような形態のガスコンロに適用した場合において、操作軸の回転軸芯を鉛直方向に対して機器前方側に傾斜させた斜め方向に設定し且つ操作部が上方側に位置するように設置し、弁操作体の軸芯が水平方向に沿う状態となるように配置させることが可能である。その結果、機器内部において弁操作体並びに安全弁を水平方向に沿うように配置することが可能となり、ガスコンロの上下方向の寸法をコンパクトにすることが可能である。
【００１９】
従って、第２特徴構成によれば、操作軸の回転軸芯を鉛直方向に対して機器前方側に傾斜させるような形態のガスコンロに適用する場合において、操作軸と安全弁との配置構成に制約を受けるおそれが少なく好適に使用することが可能な回転操作式のガス器具栓を提供できるに至った。
【００２０】
本発明の第３特徴構成は、第１特徴構成又は第２特徴構成に加えて、前記押し操作体が、前記操作軸の回転軸芯方向での位置を変更することにより前記押し作用状態と前記押し操作解除状態とに切り換え自在に且つ前記押し操作解除状態に復帰付勢される状態で設けられ、前記操作軸が前記閉止位置に操作されるに伴って前記押し操作体を前記押し作用状態に切り換えるカム式の切換機構と、前記操作軸が前記閉止位置から前記点火用操作位置側に回転操作されているときは復帰付勢力に抗して前記押し作用状態に維持するように前記押し操作体に係止作用し、且つ、前記閉止位置以外の回転操作位置において前記操作軸に対する回転操作が停止すると前記押し操作体が復帰付勢力にて前記押し操作解除状態に切り換わることを許容するように係止を解除する係止式の保持機構とが備えられている点にある。
【００２１】
第３特徴構成によれば、操作軸が閉止位置に操作されるに伴ってカム式の切換機構によって押し操作体が押し作用状態に切り換えられる。そして、操作者が操作軸を操作して閉止位置から点火用操作位置まで回転操作させる間、係止式の保持機構によって押し操作体が前記押し作用状態に維持されるから、操作軸を回転操作するに伴って中継回転体を介して弁操作体を摺動操作させて安全弁を開弁させることができる。操作者が操作軸に対する回転操作を停止すると、係止式の保持機構によって押し操作体が復帰付勢力により押し操作解除状態に切り換わることが許容されるので、その後引き続いて、操作軸を回転操作しても押し操作体による被回転操作部の押し操作は行われず、ガス量の調整だけを行うことができる。
【００２２】
従って、第３特徴構成によれば、安全弁の開弁操作とガス量の調整操作とを、操作軸を回転操作するだけの簡単な操作で行うことが可能な回転操作式のガス器具栓を提供できるに至った。
【００２３】
本発明の第４特徴構成は、第１特徴構成〜第３特徴構成のいずれかに加えて、前記操作軸が前記回転軸芯方向に沿って回転規制用位置と回転操作用位置とにわたって移動自在に且つ前記回転規制用位置に復帰付勢される状態で設けられ、前記操作軸が前記回転規制用位置に位置し且つ前記閉止位置に位置しているときは前記操作軸の回転軸芯周りでの回転操作を牽制し、前記操作軸が前記回転操作用位置に位置しているときは前記回転操作範囲の全範囲にわたり前記操作軸の回転軸芯周りでの回転操作を許容する回転操作牽制機構が設けられている点にある。
【００２４】
第４特徴構成によれば、ガス量の調整操作を行うときは、復帰付勢力に抗して操作軸を回転操作用位置に位置させると、操作軸の回転軸芯周りでの回転操作が許容されるので、操作軸の回転軸芯方向での移動操作とそれに引き続く回転操作によって行うことができる。このようにガス量の調整操作を行うときは、復帰付勢力に抗して操作軸を回転操作用位置に位置させる必要があり、前記操作軸が前記回転規制用位置に位置し且つ前記閉止位置に位置しているときは前記操作軸の回転軸芯周りでの回転操作が牽制されるので、閉止位置にあるときに誤操作によって操作軸が回転してガス供給が不用意に行われることがなく安全性を確保できる。
【００２５】
従って、第４特徴構成によれば、回転操作によって容易にガス量の調整操作を行えるものでありながら、使用上の安全性を確保することが可能な回転操作式のガス器具栓を提供できるに至った。
【００２６】
本発明の第５特徴構成は、第１特徴構成〜第４特徴構成のいずれかに加えて、前記点火用操作位置が前記回転操作範囲における中間位置に設定されている点にある。
【００２７】
第５特徴構成によれば、前記点火用操作位置が前記回転操作範囲における中間位置に設定されるので、回転操作範囲を大きくしてガス量の調整範囲を大きくさせるようにしながらも、点火用操作位置に操作したときには点火操作に適したガス量を供給することが可能となる。
【００２８】
従って、第５特徴構成によれば、ガス量の調整範囲を大きくすることができるものでありながら、点火操作に適したガス量を供給することが可能な回転操作式のガス器具栓を提供できるに至った。
【００２９】
本発明の第６特徴構成は、第１特徴構成〜第５特徴構成のいずれかに加えて、前記操作軸にて回転操作されるガス量調整用の弁体を内部に収納し且つ前記操作軸並びに前記中継回転体を回転自在に支持する状態で備えた器具栓本体と、前記安全弁及び前記弁操作体を内部に収納する安全弁収納体とが夫々別体にて形成され、前記器具栓本体と前記安全弁収納体とを一体的に組み付けて構成されている点にある。
【００３０】
第６特徴構成によれば、器具栓本体は、操作軸並びに中継回転体を回転自在に支持する状態で備えるので、操作軸と中継回転体との相対的な位置関係を一定に維持することができるものであり、しかも、前記器具栓本体と前記安全弁収納体とが夫々別体にて形成され、器具栓本体と安全弁収納体とを一体的に組み付けて構成されているので、操作軸の回転軸芯と弁操作体の軸芯とを種々の異なる角度を備える形式のガスコンロに適用するような場合であっても、前記器具栓本体と前記安全弁収納体との間の取り付け部分の構成を工夫することで、例えば、器具栓本体を共用にしながら安全弁収納体として別仕様のものを用いることで種々の異なる仕様のガスコンロに対応するようにしたり、あるいは、安全弁収納体を共用にしながら器具栓本体として別仕様のものを用いることで種々の異なる仕様のガスコンロに対応するようにして、部材の兼用化によりコスト低減を図ることが可能になる。
【００３１】
従って、第６特徴構成によれば、ガスコンロへ適用する場合において、操作軸の配置構成にかかわらず安全弁の配置に制約を受けるおそれを少なくなるものでありながら、部材の兼用化によるコスト低減が可能となる回転操作式のガス器具栓を提供できるに至った。
【発明を実施するための最良の形態】
【００３２】
以下、本発明に係る回転操作式のガス器具栓の実施形態をガスコンロに適用した場合について図面に基づいて説明する。
図１及び図２に示すように、ガスコンロは、３つのコンロバーナ１及びグリル部３を備えたビルトインタイプに構成されており、３つのコンロバーナ１は、標準バーナ１ａと小バーナ１ｂと高火力バーナ１ｃとによって構成され、グリル部３の内部にはグリルバーナ２が備えられている。又、図１に示すように、グリル部３の燃焼排ガスを排気するためのグリル排気口４が形成され、天板５にてガスコンロ上面が覆われており、この天板５の上部に、標準バーナ１ａ、小バーナ１ｂ及び高火力バーナ１ｃの夫々に対応して加熱用容器（鍋など）を載置支持する五徳６が設けられている。
【００３３】
又、ガスコンロ前側面には、各コンロバーナ１とグリルバーナ２との各種の設定を指令する手動操作部Ｓが設けられ、詳述はしないが各種の制御を実行するように構成された燃焼制御部（図示せず）がその手動操作部Ｓにて指令された運転状態に基づいて、前記各バーナ１、２の動作状態を制御するように構成されている。
【００３４】
又、コンロバーナ１に対する点火操作並びにガス量調整操作を行うための３つのガス器具栓７が天板５における機器前面側の右側箇所に位置させて並ぶ状態で備えられている。ガス器具栓７が備えられる天板５における機器前面側の右側箇所は、図２に示すように、機器前面側ほど下方に位置するような傾斜姿勢に設けられている。詳細は後述するが、ガス器具栓７は、ガス量調整操作が行い易くなるように、操作回転軸芯が鉛直方向に対して機器前方側に傾斜させた斜め姿勢になるように構成されている。尚、グリルバーナ２に対する点火操作並びにガス量調整操作を行うためのガス器具栓８は機器前面側の操作パネル部の左側に備えられている。
【００３５】
そして、３つのコンロバーナ１に対応する３つのガス器具栓７は、後述するように回転操作範囲が異なる等、少し構成は異なるものの基本的な構成は同じであり、操作つまみ１９を回転操作することでコンロバーナ１に供給される燃料ガスの供給量すなわちガス量を変更調整することができる構成となっている。そして、この３つのコンロバーナ１の夫々に対応する３つのガス器具栓７が本発明のガス器具栓に対応する。
以下、高火力バーナ１ｃに対応するガス器具栓を代表して説明する。
【００３６】
図６及び図１０に示すように、前記ガス器具栓７は、ガス供給を閉止する閉止位置（イ）及び点火用操作位置としての第２操作位置（ハ）を含むガス量調整用の回転操作範囲内で回転操作自在なガス量調整用の操作軸９と、軸状の弁操作体１０の軸芯方向の摺動によって開弁操作される安全弁１１と、回転に伴って弁操作体１０を押し操作して摺動させる押し操作部１２及び被回転操作部１３を備えた中継回転体１４とが設けられ、操作軸９の前記閉止位置（イ）から第２操作位置（ハ）への回転に伴って中継回転体１４の被回転操作部１３を押し操作する押し操作体１５が、操作軸９と一体回転自在に、且つ、操作軸９の回転に伴って被回転操作部１３を押し操作する押し作用状態と操作軸９の回転に拘わらず被回転操作部１３を押し操作しない押し操作解除状態とに切り換え操作自在に設けられている。そして、中継回転体１４が、操作軸９の回転軸芯Ｘと直交する回転軸芯Ｙ周りで回転するように設けられ、弁操作体１０が、中継回転体１４の回転軸芯Ｙと直交する仮想平面上に沿って摺動するように設けられている。
【００３７】
このガス器具栓７は、図８に示すように、操作軸９にて回転操作されるガス量調整用の弁体１６を内部に収納し且つ操作軸９並びに中継回転体１４を回転自在に支持する状態で備える器具栓本体１７と、図７に示すように、安全弁１１及び弁操作体１０を内部に収納する安全弁収納体１８とが備えられるが、これらの器具栓本体１７と安全弁収納体１８とが夫々別体にて形成され、それらを一体的に組み付けて構成されている。つまり、図９に示すように、器具栓本体１７に形成された取付部としての取付座１７ａに安全弁収納体１８に形成された被取付部としての被取付部１８ａを接続して３個のボルトＢｏで締め付け固定して一体的に組み付ける構成となっている。
【００３８】
又、図７及び図８に示すように、器具栓本体１７及び安全弁収納体１８には夫々、ガス流路２０，２１が形成されており、それらが一体的に組み付けられることで前記ガス流路２０，２１同士が連通接続されて、安全弁収納体１８に形成されたガス入口２２から供給される燃料ガスがガス流路２０，２１を通して器具栓本体１７に形成されたガス出口２４（図５及び図９参照）から流出するようにガス通流路が構成される。
図２に示すように、前記ガス入口２２へは家庭用ガス配管からの燃料ガスがガス受入管２５を通して供給され、ガス出口２４からは、ガス量調整された後の燃料ガスが供給路２６を通して対象となる高火力バーナ１ｃに供給されるように構成されている。
【００３９】
図３、図４及び図７に示すように、操作軸９が回転軸芯方向の一端側を操作部９ａとして構成され、弁操作体１０が、中継回転体１４の回転軸芯方向視において、操作軸９の回転軸芯方向における操作部９ａとは反対側となる他端側に相当する箇所から延びるように位置され、操作軸９と弁操作体１０とが、中継回転体１４の回転軸芯Ｙ方向視において、略への字状に屈曲する位置関係となる状態で配設されている。尚、図３、図４及び図７は中継回転体１４の回転軸芯Ｙ方向視の図面である。
【００４０】
図３及び図４に示すように、操作軸９の回転軸芯Ｘと弁操作体１０の軸芯Ｚを機器前方側に延長した仮想延長線との成す角度が約７０度に設定されており、図２に示すように、
弁操作体１０の軸芯Ｚが機器前後方向に沿う水平方向に向かうように配備される。つまり、操作軸９は、その回転軸芯が鉛直方向に対してガスコンロの上下幅方向に対して約２０度機器前方側へ傾斜した斜め姿勢になるように設けられ、操作者が手動にて回動操作する場合に操作し易い形態になっている。
【００４１】
図６に示すように、操作軸９を、閉止位置（イ）から、第１操作位置（ロ）、第２操作位置（ハ）、第３操作位置（ニ）（最大操作位置）の３段階にガス量を変更調整することができる構成となっており、閉止位置（イ）から第２操作位置（ハ）まで回転操作すると点火操作に適したガス量に調整することができる構成となっている。つまり、この高火力バーナ１ｃに対応するガス器具栓７においては第２操作位置（ハ）が点火用操作位置に対応する。このように前記点火用操作位置が回転操作範囲における中間位置に設定されている。
【００４２】
図１０〜図１２に示すように、前記押し操作体１５が、操作軸９の回転軸芯Ｘ方向での位置を変更することにより、前記押し作用状態と前記押し操作解除状態とに切り換え自在に且つ前記押し操作解除状態に復帰付勢される状態で設けられ、操作軸９が閉止位置（イ）に操作されるに伴って押し操作体１５を押し作用状態に切り換えるカム式の切換機構Ｋ１と、操作軸９が閉止位置（イ）から第２操作位置側に回転操作されているときは復帰付勢力に抗して押し作用状態に維持するように押し操作体１５に係止作用し、且つ、閉止位置以外の回転操作位置において操作軸９に対する回転操作が停止すると押し操作体１５が復帰付勢力にて押し操作解除状態に切り換わることを許容するように係止を解除する係止式の保持機構Ｋ２とが備えられている。
【００４３】
説明を加えると、図１０に示すように、前記押し操作体１５は、略円筒形状に形成されており、軸芯方向内部には、操作軸９の下端側部分が嵌り合う内筒部４５が形成され、外周部にはその周方向の一部において径方向外方側に突出する形態で押し作用部５３が一体的に形成されている。そして、操作軸９の下端部には直径方向に沿って凹溝４３が形成され、この凹溝４３に横向き姿勢で係止ピン４４が嵌り合う状態で設けられる。
一方、押し操作体１５には、その内筒部４５に直径方向に離れた２箇所に軸芯方向に凹入するように、前記係止ピン４４が操作軸９の軸芯方向に嵌り合い係合する一対の凹溝４６が形成されている。又、押し操作体１５の下部には一対の係止爪４７が一体的に形成され、この係止爪４７が弁体１６の上部に形成された突部４８を挟み込むように操作軸９の軸芯方向に嵌り合い係合して押し操作体１５の回動に伴って弁体１６が回動するように構成されている。このようにして、前記係止ピン４４が、操作軸９に形成された凹溝４３に係合し、且つ、押し操作体１５に形成された凹溝４６に係合することで、操作軸９が回転すると係止ピン４４を介して押し操作体１５が一体的に回転する構成となっている。
【００４４】
図１０に示すように、押し操作体１５を弁体１６から離れる方向に移動付勢するコイルバネ５０が設けられ、押し操作体１５は弁体１６から離れる方向すなわち下側支持板２８に向かう上方に移動付勢される構成となっている。又、押し操作体１５の上部側箇所には前記凹溝４６を挟んでその直径方向両側に位置する状態で、且つ、周方向の所定の位相において傾斜状のカム面５１が夫々形成され、下側支持板２８における各カム面５１が対向する位置には、このカム面５１に作用すべく下方に突出する係合突起５２が形成されている。
【００４５】
前記カム面５１は、押し操作体１５が第１操作位置（ロ）から第３操作位置（ニ）に操作される間は、押し操作体１５が回転軸芯方向のどの位置にあっても係合突起５２が係合作用しないように下方側に位置する非作用面に形成され、押し操作体１５が第１操作位置（ロ）から閉止位置（イ）に向けて回転操作されるに伴って、係合突起５２が係合して押し操作体１５が順次下方に押し下げるように周方向に沿って順次上方に位置するような傾斜案面に形成され、閉止位置（イ）の近傍にいる間は、押し操作体１５を下方に押し下げる状態を維持する上部側平坦面を備える形状となっている。従って、このようなカム面５１及び係合突起５２によりカム式の切換機構Ｋ１が構成される。
【００４６】
上述したように、押し操作体１５が第１操作位置（ロ）から第３操作位置（ニ）に操作される間は、押し操作体１５が回転軸芯方向のどの位置にあっても係合突起５２が係合作用しないから、コイルバネ５０の付勢力によって押し操作体１５が下側支持板２８側に向けて移動することが可能な状態になる。図１５及び図１６には、係合突起５２とカム面５１との係合が解除されて、押し操作体１５が下側支持板２８側に向けて移動している状態を示している。
【００４７】
前記係合突起５２が前記カム面５１に係合作用して押し操作体１５が下方側に移動している状態では、操作軸９の回転操作に伴って押し作用部５３が中継回転体１４の被回転操作部１３に接当作用する（図１３参照）が、押し操作体１５が下側支持板２８側に向けて移動している状態では、この押し作用部５３が被回転操作部１３に接当作用しない状態となる（図１５参照）。従って、押し操作体１５が下側支持板２８側に向けて移動している状態が前記押し操作解除状態に対応しており、前記係合突起５２がカム面５１に係合作用して押し操作体１５が相対的に下方側に向けて操作軸９の軸芯方向に沿って移動している状態が前記押し作用状態に対応している。
【００４８】
図１１、図１２及び図１５に示すように、前記押し操作体１５における内筒部４５に形成される凹溝４６における、閉止位置（イ）から第１操作位置（ロ）側へ向かう回転操作方向下手側の内面には、操作軸９が閉止位置（イ）から第２操作位置（ハ）に回転操作されるときに回転操作力が付与される係止ピン４４が係止してコイルバネ５０の付勢力に抗して押し操作体１５の操作軸９の軸芯方向での移動を規制するための係止斜面部４９が形成されている。この係止ピン４４及び係止斜面部４９等により係止式の保持機構Ｋ２が構成されている。
【００４９】
説明を加えると、前記係止斜面部４９は、係止ピン４４に対して回転操作方向の操作力が付与されている間は、その回転操作方向の操作力によって係止ピン４４が係止してコイルバネ５０の付勢力に抗して押し操作体１５の操作軸９の軸芯方向での移動を規制することが可能であり、しかも、係止ピン４４に対して回転操作方向の操作力が解除されると、コイルバネ５０の付勢力によって押し操作体１５が上方に移動することを許容するような形状となっている。
【００５０】
図３、図７、図９、図１０、図１３及び図１４に示すように、前記下側支持板２８から略直角方向に向けて一体的に延設した延設支持部２８Ａに前記中継回転体１４が操作軸９の軸芯Ｘと直交する軸芯Ｙ周りで回転自在に支持されている。この中継回転体１４は、押し操作体１５に形成された押し作用部５３が接当して回動操作される被回転操作部１３と、弁操作体１０を押し操作する押し操作部１２と、コンロバーナ１に点火するための点火器を作動させる点火用リミットスイッチ５８の操作片５８ａを押し操作してスイッチ入り操作するスイッチ操作部５９とが、合成樹脂材にて一体的に形成される構成となっている。そして、この中継回転体１４は金属製のピン６０により前記軸芯Ｙ周りで回転自在に延設支持部２８Ａに支持されている。前記被回転操作部１３と前記押し操作部１２とは、回転軸芯Ｙ方向での位置が同じ又は略同じになるように一体的に形成されている。
【００５１】
図７に示すように、前記安全弁収納体１８は安全弁１１及び弁操作体１０を内装する状態で備えている。この安全弁１１は、弁体５４がコイルバネ５５により弁座５６に押圧付勢されて閉弁付勢される構成となっており、電磁ソレノイド５７に通電することで前記弁体５４を開弁側に操作して開弁状態を維持することができる構成となっている。そして、この安全弁１１は、前記弁操作体１０によって弁体５４が押し操作される構成となっているが、この弁操作体１０は、軸芯を弁体５４の移動方向に沿う状態で設けられ、且つ、その軸芯方向に摺動自在に支持される状態で安全弁収納体１８に内装される構成となっている。従って、その構造上、安全弁収納体１８は弁操作体１０の摺動方向に沿って長尺な形状に構成されている。
【００５２】
又、前記押し操作部１２により押し操作される弁操作体１０の先端部には、押し操作部１２による無理な押し操作によって安全弁１１に無理な力が加わることを防止するための緩衝部材６１が備えられている。この緩衝部材６１は、図７に示すように、弁操作体１０の先端側の小径部６２にその軸芯方向に摺動自在に外嵌装着されており、緩衝用コイルバネ６３により先端部側に弾性付勢され且つ小径部６２の先端に装着された抜け止め具６４にて抜け止めされる状態で装備されている。前記コイルバネ６３の付勢力は安全弁１１の内部に設けられた閉弁用コイルバネ５５の付勢力より大に設定され、押し操作されると閉弁用コイルバネ５５が先に縮退して安全弁１０が開弁する構成となっており、開弁された後にさらに押し操作力が加わると、緩衝用コイルバネ６３が縮退して安全弁１１に無理な力がかかることを回避できる構成となっている。
【００５３】
図１６に示すように、前記操作軸９を閉止位置側に向けて回転操作して閉止位置（イ）に至ると、押し操作体１５に設けられた押し作用部５３が器具栓本体１７の外面に形成された受止め部７０にて受止められ、閉止位置側へのそれ以上の回転が阻止されるようになっており、又、最大操作位置側への操作においても同様に、操作軸９を第３操作位置（ニ）まで操作すると、押し作用部５３が器具栓本体１７の外面に形成された受止め部７１にて受止められ、それ以上の最大操作位置側への回転が阻止されるようになっている。
【００５４】
図３〜図１５に示すように、前記操作軸９は、器具栓本体１７に取り付けられた上側支持板２７及び下側支持板２８にて回動自在に支持される構成となっている。下側支持板２８は平坦面に形成されて器具栓本体１７の上側端面に当て付けた状態で取り付け固定され、上側支持板２７は下側支持板２８との間に空間が形成されるように、中継回転体１４の回転軸芯Ｙ方向視で略コの字形状に屈曲形成されて器具栓本体１７に取り付け固定されている。上側支持板２７と下側支持板２８の間には、操作軸９と一体回動する状態でカム部材２９が操作軸９に外嵌装着されており、その近傍には燃焼制御部に対する電源供給を実行するための電源供給用のリミットスイッチ３０が備えられ、操作軸９を閉止位置（イ）から最大操作位置側に少し回転操作するとカム部材２９が電源供給用のリミットスイッチ３０に作用してこれを入り状態に切り換え、回転操作範囲の全範囲にわたり入り状態を維持する構成となっており、操作軸９を閉止位置（イ）に戻し操作されると接当作用が解除されて、電源供給用のリミットスイッチ３０が切り状態に切り換わる構成となっている。
【００５５】
図８、図１０、図１１及び図１２に示すように、前記操作軸９が前記回転軸芯Ｘ方向に沿って回転規制用位置と回転操作用位置とにわたって移動自在に且つ前記回転規制用位置に復帰付勢される状態で設けられ、操作軸９が前記回転規制用位置に位置し且つ前記閉止位置に位置しているときは操作軸９の回転軸芯周りでの回転操作を牽制し、操作軸９が前記回転操作用位置に位置しているときは回転操作範囲の全範囲にわたり操作軸９の回転軸芯周りでの回転操作を許容する回転操作牽制機構Ｋ３が設けられている。
【００５６】
この回転操作牽制機構Ｋ３の具体構成について説明すると、図１０に示すように、操作軸９の長手方向途中部に断面形状が略小判形に形成された大径部３１が形成され、この大径部３１が上側支持板２７と下側支持板２８との間に位置する状態で操作軸９を回動操作させることができる構成となっている。又、上側支持板２７の軸挿通部には、操作軸９がその回転位置が閉止位置にあるときにのみ前記大径部３１が嵌り合い可能な略小判形の挿通孔３２が形成され、弁体１６と操作軸９との間にコイルバネ３３が設けられて操作軸９が上方に移動付勢される構成となっている。
【００５７】
従って、操作軸９が閉止位置にあると、図１１に示すように、コイルバネ３３の付勢力によって操作軸９が上方に移動付勢され、大径部３１が略小判形の挿通孔３２に嵌り合う状態になる。そのとき、大径部３１の上端部が上側支持板２７の上側に設けられた規制板３９に接当してそれ以上の上方移動が規制されて回転軸芯方向での位置が規制されることになる。その位置が回転規制用位置に対応することになる。この回転規制用位置では操作軸９の軸芯周りでの回動操作が牽制されることになる。
【００５８】
図１２に示すように、操作者がコイルバネ３３の付勢力に抗して操作軸９を下方に押し操作して大径部３１と略小判形の挿通孔３２との係合が解除されると、操作軸９の回転操作を許容する状態になる。このとき大径部３１の下端が下側支持板２８にて受止められてそれ以上の下方移動が規制されて回転軸芯方向での位置が規制されることになる。この位置が前記回転操作用位置に対応する。この回転操作用位置では、大径部３１が上側支持板２７と下側支持板２８との間に位置する状態で操作軸９を回動操作させることができる。
【００５９】
図３〜図８に示すように、又、前記上側支持板２７の上部側には、操作軸９の複数の操作位置において操作のクリック感を与えるクリック保持部３４が設けられている。
図１７に示すように、このクリック保持部３４は、前記操作軸９と一体的に回動する摺動板３５と、その摺動板３５にて保持される小径の鋼球３６、４個の係合孔３７を形成した板バネ式の保持板３８、摺動板３５の径方向での移動を規制するための規制板３９等を備えて構成されている。このクリック保持部３４は、前記摺動板３５にて鋼球３６を保持しておき、その上側に位置固定状態で板バネ式の保持板３８を位置させ、操作軸９の回転操作に伴って保持板３８に形成した４個の係合孔３７に小径の鋼球３６が順次係入して、閉止位置（イ）、第１操作位置（ロ）、第２操作位置（ハ）、第３操作位置（ニ）の各操作位置においてクリック感を与える状態で位置保持することができる構成となっている。
【００６０】
そして、このクリック保持部３４は、点火操作を行うために閉止位置（イ）から最大操作位置側に回転操作するときには、閉止位置（イ）におけるクリック保持状態から第１操作位置（ロ）を通過して第２操作位置（ハ）すなわち点火用操作位置におけるクリック保持状態に切り換わるように構成されている。
【００６１】
つまり、図１７及び図１８に示すように、規制板３９には摺動板３５に突出形成された突起４０が嵌り合うガイド孔４１が形成され、前記板バネ式の保持板３８の下向きに折り曲げた突曲部４２を閉止位置と第１操作位置との間に斜め方向に形成して、閉止位置（イ）から第１操作位置（ロ）に向けて回転するときは鋼球３６が径方向内方側に移動力が作用し、第１操作位置（ロ）から閉止位置（イ）に向けて回転するときは鋼球３６が径方向内方側に移動力が作用するように構成されている。
【００６２】
閉止位置（イ）から第１操作位置（ロ）に向けて回転するときは鋼球３６が径方向内方側に移動力が作用するので摺動板３５がその方向に移動し、前記突起４０がガイド孔４１の径方向外方側の案内面４１ｂに沿って案内され、鋼球３６が径方向内方側を通過するので、第１操作位置（ロ）に対応する係合孔３７を通過する。そして、第２操作位置（ロ）（点火用操作位置）まで回転すると、前記突起４０がガイド孔４１によって案内されて鋼球３６が径方向外方側に移動して第２操作位置（ロ）に対応する係合孔３７に係合するのである。反対方向に回転するときは、鋼球３６が径方向外方側に移動力が作用するので前記突起４０がガイド孔４１の径方向内方側の案内面４１ａに沿って案内され、第１操作位置（ロ）に対応する係合孔３７に鋼球３６が適正に係合することになる。
【００６３】
次に、上記構成のガス器具栓７において、操作軸９を閉止位置から回転操作してガス量調整を行うときの動作について説明する。
先ず、操作軸９が閉止位置（イ）にあるときは、図１１（ａ），（ｂ）に示すように、操作軸９は上述した回転操作牽制機構Ｋ３の作用によって回動が阻止された状態となっているので、操作者は、操作軸９を軸芯方向下方側に押し操作して回転操作を許容する状態に切り換えてから（図１２（ａ），（ｂ）参照）、操作軸９を閉止位置（イ）から第２操作位置（ハ）（点火用操作位置）にまで回転操作することになる。
【００６４】
操作軸９が閉止位置（イ）にあるときは、押し操作体１５は係合突起５２とカム面５１との係合作用により押し作用状態に切り換えられているが、操作軸９を閉止位置から設定量だけ回転操作させると係合突起５２とカム面５１との係合作用が解除され、コイルバネ５０の付勢力によって押し操作体１５は上方側に移動付勢されて押し操作解除状態に切り換わろうとする。しかし、操作軸９が閉止位置（イ）から回転操作されると、図１２に示すように、押し操作体１５に形成される凹溝４６の周方向の一方側の内面に形成された係止斜面部４９を、手動操作にて回転方向の力が付与される係止ピン４４が係止する。その結果、押し操作体１５は上方側へ移動することが阻止され押し作用状態を維持することになる。
【００６５】
そして、手動操作にて回転方向の力が係止ピン４４に付与されて押し操作体１５が係止保持され上方側へ移動することが阻止されている状態が継続して、押し操作体１５が押し作用状態を維持しながら操作軸９が第２操作位置（ハ）まで回転すると、図１３及び図１４に示すように、押し操作体１５における押し作用部５３が中継回転体１４の被回転操作部１３に接当して中継回転体１４が回転軸芯Ｙ周りで回転操作される。そうすると、中継回転体１４の押し操作部１２が弁操作体１０を押し操作して、コイルバネ５５により弁座５６に押圧付勢されている弁体５４が強制的に押されて安全弁１１が開弁状態となり高火力バーナ１ｃに燃料ガスが供給される。一方、中継回転体１４が回転軸芯Ｙ周りで回転操作されるとスイッチ操作部５９も一体的に回転するので、点火用リミットスイッチ５８が入り操作されて、図示しない点火器が作用して高火力バーナ１ｃに対する点火処理が実行されることになる。
【００６６】
図１４に示すように、操作軸９が第２操作位置（ハ）まで回転操作されると押し作用部５３が器具栓本体１７の外面に形成された受止め部７２にて受止められ、それ以上の回転が阻止されるようになっており、操作者が操作軸９を第２操作位置（ハ）に位置保持している状態で上述したような点火処理が実行されることになる。
【００６７】
前記点火処理が終了して、操作者が操作軸９に対する回転操作力を解除すると、前記係止ピン４４による回転操作力が無くなるので、係止ピン４４と係止斜面部４９との係止が解除されて押し操作体１５がコイルバネ５０の付勢力によって上方側に移動して押し操作解除状態に切り換わる（図１５参照）。このように押し操作体１５が押し操作解除状態に切り換わると、操作軸９を閉止位置（イ）に戻さない限り、操作軸９を回転操作範囲内で回転操作しても押し操作体１５における押し作用部５３が中継回転体１４の被回転操作部１３に接当することはない。従って、操作軸９を、第１操作位置（ロ）、第２操作位置（ハ）、第３操作位置（ニ）（最大操作位置）までの間で回転操作することによって弁体１６を回転させてガス量を変更調整することができる（図６及び図１６参照）。そのとき、押し作用部５３が器具栓本体１７の外面に形成された受止め部７０及び受止め部７１にて受止められ、回転操作範囲が規制されるようになっている。
【００６８】
そして、高火力バーナ１ｃを消火させるときは、操作軸９を閉止位置（イ）まで戻すと、ガス量調整部２３が閉止状態となりガス供給が停止され、且つ、押し操作体１５は係合突起５２とカム面５１との係合作用により押し作用状態に切り換えられる（図１１参照）。
【００６９】
上述の動作説明では、高火力バーナ１ｃの場合を例示したが、小バーナ１ｂの場合には、図１９（ａ）に示すように、閉止位置（イ）、操作軸９が閉止位置（イ）から約４５度回転した第１操作位置（ロ）、閉止位置（イ）から約９０度回転させた第２操作位置（ハ）（最大操作位置）までの間で回転操作することによって弁体１６を回転させてガス量を変更調整する構成となっており、回転操作範囲が約９０度に設定されている。又、標準バーナ１ａの場合には、図１９（ｂ）に示すように、操作軸９が回転操作可能な範囲は高火力バーナ１ｃと同じであるが、閉止位置（イ）から約１３０度回転させた第３操作位置（ニ）（最大操作位置）では、ガス量が最大になるのではなく予め設定されている炊飯用のガス量に調整される構成となっており、閉止位置（イ）から約９０度回転させた第２操作位置（ハ）が点火用操作位置に対応することになる。
【００７０】
〔別実施形態〕
以下、別実施形態を列記する。
【００７１】
（１）上記実施形態では、前記押し操作体が前記操作軸の回転軸芯方向での位置を変更することにより前記押し作用状態と前記押し操作解除状態とに切り換え自在に且つ前記押し操作解除状態に復帰付勢される状態で設けられ、前記カム式の切換機構と前記係止式の保持機構とが備えられて、前記操作軸の回転操作に伴って前記押し操作体の前記操作軸の回転軸芯方向での位置を変更調整して前記押し作用状態と前記押し操作解除状態とに切り換えるように構成したものを例示したが、このような構成に代えて、例えば、手動操作によって復帰付勢力に抗して押し操作体を回転軸芯方向に位置変更して押し作用状態に切り換える構成としてもよい。
【００７２】
（２）上記実施形態では、前記操作軸が前記閉止位置にあるときに前記操作軸の回転操作を牽制し、前記操作軸を軸芯方向に移動させて前記操作軸の回転操作を許容する状態に切り換える回転操作牽制機構が設けられるものを例示したが、このような回転操作牽制機構を備えない構成としてもよい。つまり、閉止位置から操作軸をそのまま回転操作するだけで点火操作やガス量調整を行うことができる構成としてもよい。
【００７３】
（３）上記実施形態では、操作軸９の軸芯Ｘと弁操作体１０の軸芯Ｚを機器前方側に延長した仮想延長線との成す角度が約７０度に設定され、操作軸９の回転軸芯を鉛直方向に対して機器前方側に傾斜させた斜め方向に設定するような形態のガスコンロに構成したが、このような構成に限らず、操作軸９の軸芯Ｘと弁操作体１０の軸芯Ｚを機器前方側に延長した仮想延長線との成す角度は種々変更した状態で実施することができる。例えば、前記角度を９０度に設定したり、前記角度を零にして前記操作軸９の回転軸芯と前記弁操作体の軸芯とが平行な状態となるように構成してもよく、それ以外の種々の角度にて設定してもよい。
【００７４】
（４）上記実施形態では、前記器具栓本体と前記安全弁収納体とが夫々別体にて形成されてボルトで固定するものを例示したが、前記器具栓本体と前記安全弁収納体とを一体成形にて構成するものでもよい。
【図面の簡単な説明】
【００７５】
【図１】ガスコンロの斜視図
【図２】ガスコンロの一部切欠側面図
【図３】ガス器具栓の構成を示す側面図
【図４】ガス器具栓の構成を示す側面図
【図５】ガス器具栓の構成を示す平面図
【図６】ガス器具栓の構成を示すＸ軸芯方向視の図
【図７】ガス器具栓の一部切欠側面図
【図８】ガス器具栓の切欠側面図
【図９】器具栓本体と安全弁収納体との取付状態を示す斜視図
【図１０】ガス器具栓の分解斜視図
【図１１】ガス器具栓の閉止位置における動作状態を示す図
【図１２】ガス器具栓の回転操作状態における動作状態を示す図
【図１３】ガス器具栓の点火操作状態における動作状態を示す図
【図１４】ガス器具栓の点火操作状態における動作状態を示す図
【図１５】ガス器具栓のガス量調整状態における動作状態を示す図
【図１６】ガス器具栓のガス量調整状態における動作状態を示す図
【図１７】クリック保持部の分解斜視図
【図１８】クリック保持部の動作説明図
【図１９】ガス器具栓の平面図
【符号の説明】
【００７６】
９      操作軸
１０    弁操作体
１１    安全弁
１２    押し操作部
１３    被回転操作部
１４    中継回転体
１５    押し操作体
１６    弁体
１７    器具栓本体
１８    安全弁収納体
Ｋ１    カム式の切換機構
Ｋ２    係止式の保持機構
Ｋ３    回転操作牽制機構
【図１】
2008089145.tif 000003
【図２】
2008089145.tif 000004
【図３】
2008089145.tif 000005
【図４】
2008089145.tif 000006
【図５】
2008089145.tif 000007
【図６】
2008089145.tif 000008
【図７】
2008089145.tif 000009
【図８】
2008089145.tif 000010
【図９】
2008089145.tif 000011
【図１０】
2008089145.tif 000012
【図１１】
2008089145.tif 000013
【図１２】
2008089145.tif 000014
【図１３】
2008089145.tif 000015
【図１４】
2008089145.tif 000016
【図１５】
2008089145.tif 000017
【図１６】
2008089145.tif 000018
【図１７】
2008089145.tif 000019
【図１８】
2008089145.tif 000020
【図１９】
2008089145.tif 000021